(57)【特許請求の範囲】
【請求項１】
通信装置側通常モードと、前記通信装置側通常モードに比べて消費電力が少ない通信装置側スリープモードとを有し、無線通信を行う通信装置と、
制御装置側通常モードと、前記制御装置側通常モードに比べて消費電力が少ない制御装置側第１スリープモードと、前記制御装置側第１スリープモードに比べて消費電力が少ない制御装置側第２スリープモードとを有し、前記通信装置に対する制御を行う制御装置と、を備え、
前記制御装置は、
前記制御装置側第２スリープモードへ移行するのに応じて、前記通信装置側スリープモードへ移行させる指示を前記通信装置へ送信する通信装置側スリープモード移行処理と、
前記制御装置側第２スリープモードから前記制御装置側第１スリープモードへ復帰する条件が成立した場合に、前記通信装置の前記通信装置側スリープモードの状態が維持される一方で、前記制御装置側通常モードへ復帰するのに応じて、前記通信装置側通常モードへ復帰させる指示を前記通信装置へ送信する通信装置側通常モード復帰処理と、
を実行し、
前記通信装置は、
前記通信装置側スリープモードにおいて、携帯機器の接近を検出する接近検出処理と、
前記接近検出処理において、前記携帯機器の接近を検出したことに応じて、接近検出信号を前記制御装置へ送信する接近検出信号送信処理と、を実行し、
前記制御装置は、
前記接近検出信号の受信に応じて、前記制御装置側通常モードへ復帰する制御装置側通常モード復帰処理と、
前記接近検出信号の入力がない状態が第２時間だけ継続したのに応じて、前記制御装置側通常モードから前記制御装置側第１スリープモードへ移行する制御装置側第１スリープモード移行処理と、を実行することを特徴とする画像形成装置。
【請求項２】
通信装置側通常モードと、前記通信装置側通常モードに比べて消費電力が少ない通信装置側スリープモードとを有し、無線通信を行う通信装置と、
制御装置側通常モードと、前記制御装置側通常モードに比べて消費電力が少ない制御装置側第１スリープモードと、前記制御装置側第１スリープモードに比べて消費電力が少ない制御装置側第２スリープモードとを有し、前記通信装置に対する制御を行う制御装置と、を備え、
前記制御装置は、
前記制御装置側第２スリープモードへ移行するのに応じて、前記通信装置側スリープモードへ移行させる指示を前記通信装置へ送信する通信装置側スリープモード移行処理と、
前記制御装置側第２スリープモードから前記制御装置側第１スリープモードへ復帰する条件が成立した場合に、前記通信装置の前記通信装置側スリープモードの状態が維持される一方で、前記制御装置側通常モードへ復帰するのに応じて、前記通信装置側通常モードへ復帰させる指示を前記通信装置へ送信する通信装置側通常モード復帰処理と、
を実行し、
表示装置を備え、
前記制御装置は、
前記表示装置に表示する画像の画像処理を行い、前記画像処理におけるデータを保存するメモリを有する第１制御装置と、
前記表示装置、前記第１制御装置及び前記通信装置の３つの装置の各々に接続され、前記第１制御装置により画像処理された画像データを当該第１制御装置から受信して前記表示装置へ送信する第２制御装置と、を有し、
前記通信装置は、
前記通信装置側スリープモードにおいて、携帯機器の接近を検出する接近検出処理と、
前記接近検出処理において、前記携帯機器の接近を検出したことに応じて、接近検出信号を前記第２制御装置へ送信する接近検出信号送信処理と、を実行し、
前記第２制御装置は、
前記通信装置から前記接近検出信号を受信した旨を、前記第１制御装置へ伝達する第１伝達処理を実行し、
前記第１制御装置は、
前記接近検出信号の受信に応じて、前記通信装置側スリープモードから前記通信装置側通常モードへ復帰させるスリープモード解除信号を、前記第２制御装置へ送信する解除信号送信処理を実行し、
前記第２制御装置は、
前記第１制御装置から前記スリープモード解除信号を受信した旨を、前記通信装置へ伝達する第２伝達処理を実行することを特徴とする画像形成装置。
【請求項３】
前記制御装置は、前記通信装置側スリープモード移行処理として、前記制御装置側第１スリープモードから前記制御装置側第２スリープモードへ移行するのに応じて、前記通信装置側スリープモードへ移行させる指示を前記通信装置へ向けて送信することを特徴とする請求項１又は請求項２に記載の画像形成装置。
【請求項４】
外部機器との通信を行う通信インターフェースを備え、
前記制御装置は、
前記通信インターフェースにおける通信量が、第１通信量以下であることに応じて、前記制御装置側第１スリープモードから前記制御装置側第２スリープモードへ移行する制御装置側第２スリープモード移行処理と、
前記通信インターフェースにおける通信量が、第１通信量よりも多いことに応じて、前記制御装置側第２スリープモードから前記制御装置側第１スリープモードへ復帰する制御装置側第１スリープモード復帰処理と、を実行することを特徴とする請求項３に記載の画像形成装置。
【請求項５】
前記制御装置は、
当該制御装置における処理負荷を示す値が、第１閾値以下であることに応じて、前記制御装置側第１スリープモードから前記制御装置側第２スリープモードへ移行する制御装置側第２スリープモード移行処理と、
前記処理負荷を示す値が、前記第１閾値よりも大きいことに応じて、前記制御装置側第２スリープモードから前記制御装置側第１スリープモードへ復帰する制御装置側第１スリープモード復帰処理と、を実行することを特徴とする請求項３に記載の画像形成装置。
【請求項６】
前記制御装置は、第１処理回路と、前記第１処理回路に比べて消費電力が少ない第２処理回路とを有し、
前記制御装置側第２スリープモード移行処理として、前記第１処理回路を停止させ、前記第２処理回路による処理を開始することを特徴とする請求項４又は請求項５に記載の画像形成装置。
【請求項７】
表示装置を備え、
前記制御装置は、
前記制御装置側通常モードにおいて、前記表示装置による表示処理を行う表示処理と、
前記制御装置側通常モードから前記制御装置側第１スリープモードへ移行する条件が成立した場合に、前記表示装置を非表示とする非表示処理と、を実行することを特徴とする請求項１乃至請求項６のいずれかに記載の画像形成装置。
【請求項８】
ユーザの操作にともなう入力信号を生成する入力装置を備え、
前記制御装置は、
前記入力装置からの入力信号の入力に応じて、前記制御装置側通常モードへ復帰する制御装置側通常モード復帰処理と、
前記入力装置からの入力信号の入力がない状態が第１時間だけ継続したのに応じて、前記制御装置側通常モードから前記制御装置側第１スリープモードへ移行する制御装置側第１スリープモード移行処理と、を実行することを特徴とする請求項２に記載の画像形成装置。
【請求項９】
表示装置を備え、
前記制御装置は、
前記制御装置側通常モードにおいて、前記表示装置による表示処理を行う表示処理と、
前記制御装置側通常モードから前記制御装置側第１スリープモードへ移行する条件が成立した場合に、前記表示装置を非表示とする非表示処理と、を実行し、
前記制御装置側通常モード復帰処理にともなって、前記表示処理を実行した後、前記通信装置側通常モード復帰処理を実行することを特徴とする請求項８に記載の画像形成装置。
【請求項１０】
表示装置を備え、
前記制御装置は、
前記制御装置側通常モードにおいて、前記表示装置による表示処理を行う表示処理と、
前記制御装置側通常モードから前記制御装置側第１スリープモードへ移行する条件が成立した場合、前記表示装置を非表示とする非表示処理と、を実行し、
前記制御装置側通常モード復帰処理にともなって、前記通信装置側通常モード復帰処理を実行した後、前記表示処理を実行することを特徴とする請求項１に記載の画像形成装置。
【請求項１１】
前記通信装置が行う無線通信は、近距離無線通信であることを特徴とする請求項１乃至請求項１０のいずれかに記載の画像形成装置。
【請求項１２】
通信装置側通常モードと、前記通信装置側通常モードに比べて消費電力が少ない通信装置側スリープモードとを有し、無線通信を行う通信装置と、
制御装置側通常モードと、前記制御装置側通常モードに比べて消費電力が少ない制御装置側スリープモードとを有し、前記通信装置に対する制御を行う制御装置と、を備え、
前記制御装置は、
前記制御装置側スリープモードへ移行するのに応じて、前記通信装置側スリープモードへ移行させる指示を前記通信装置へ送信する通信装置側スリープモード移行処理と、
前記制御装置側通常モードへ復帰するのに応じて、前記通信装置側通常モードへ復帰させる指示を前記通信装置へ送信する通信装置側通常モード復帰処理と、
を実行し、
表示装置を備え、
前記制御装置は、
前記表示装置に表示する画像の画像処理を行い、前記画像処理におけるデータを保存するメモリを有する第１制御装置と、
前記表示装置、前記第１制御装置及び前記通信装置の３つの装置の各々に接続され、前記第１制御装置により画像処理された画像データを当該第１制御装置から受信して前記表示装置へ送信する第２制御装置と、を有し、
前記通信装置は、
前記通信装置側スリープモードにおいて、携帯機器の接近を検出する接近検出処理と、
前記接近検出処理において、前記携帯機器の接近を検出したことに応じて、接近検出信号を前記第２制御装置へ送信する接近検出信号送信処理と、を実行し、
前記第２制御装置は、
前記通信装置から前記接近検出信号を受信した旨を、前記第１制御装置へ伝達する第１伝達処理を実行し、
前記第１制御装置は、
前記接近検出信号の受信に応じて、前記通信装置側スリープモードから前記通信装置側通常モードへ復帰させるスリープモード解除信号を、前記第２制御装置へ送信する解除信号送信処理を実行し、
前記第２制御装置は、
前記第１制御装置から前記スリープモード解除信号を受信した旨を、前記通信装置へ伝達する第２伝達処理を実行することを特徴とする画像形成装置。
【発明の詳細な説明】
【技術分野】
【０００１】
本発明は、通信機能と複数のスリープモードとを備える画像形成装置における省電力化の技術に関する。
【背景技術】
【０００２】
従来、画像形成装置として、印刷処理などを実行する通常動作モードと、ネットワークインターフェースや操作部など特定の装置だけに電力を供給することによって通常動作モードに比べて消費電力を抑えるスリープモード（文献では、「低消費電力モード」）との２つのモードを備えるものがある（特許文献１など）。特許文献１に開示される画像形成装置は、無線タグとの通信を行う無線通信部を備えており、スリープモードに移行した場合に、無線タグの探索が必要なくなると無線通信部への電力供給を遮断し省電力化を図っている。
【０００３】
一方、画像形成装置は、ネットワークインターフェースを介して印刷ジョブを受信した場合や、ユーザにより操作部が操作された場合に、無線通信部への電力供給を再開する。これは、印刷ジョブが受信される場合や操作部が操作される場合には、ユーザによる無線タグの認証が行われる可能性が高いため、無線通信部を起動して無線タグの探索を行っている。
【先行技術文献】
【特許文献】
【０００４】
【特許文献１】特開２００６−９５７５０号公報
【発明の概要】
【発明が解決しようとする課題】
【０００５】
上記した画像形成装置では、無線タグを探索する必要性に応じて、無線通信部に対する電力供給を切り替えることによって、ユーザビリティの維持を図りつつ、省電力化を図っている。ところで、この種の画像形成装置は、消費電力の許容値を規定した様々な規格を満たすことが要求される場合もあり、さらなる省電力化が必要となってくる。これに対応し、例えば、画像形成装置に対し複数の種類のスリープモードを設定し、複数の段階に分けて電力供給を切り替える制御を行うことが考えられる。この場合、画像形成装置には、省電力化だけでなく、ユーザビリティを維持するために、複数のスリープモードの切り替えに応じて無線通信部の動作を切り替えることが要求されてくる。
【０００６】
本願に開示される技術は、上記の課題に鑑み提案されたものである。無線通信を行う通信装置を備えるとともに、消費電力を抑えるための複数のスリープモードを備える画像形成装置において、省電力化とユーザビリティとの間の優先度を好適に切替えられる画像形成装置を提供することを目的とする。
【課題を解決するための手段】
【０００７】
上記課題を解決するために、本発明の画像形成装置は、通信装置側通常モードと、通信装置側通常モードに比べて消費電力が少ない通信装置側スリープモードとを有し、無線通信を行う通信装置と、制御装置側通常モードと、制御装置側通常モードに比べて消費電力が少ない制御装置側第１スリープモードと、制御装置側第１スリープモードに比べて消費電力が少ない制御装置側第２スリープモードとを有し、通信装置に対する制御を行う制御装置と、を備え、制御装置は、制御装置側第２スリープモードへ移行するのに応じて、通信装置側スリープモードへ移行させる指示を通信装置へ送信する通信装置側スリープモード移行処理と、制御装置側第２スリープモードから制御装置側第１スリープモードへ復帰する条件が成立した場合に、通信装置の通信装置側スリープモードの状態が維持される一方で、制御装置側通常モードへ復帰するのに応じて、通信装置側通常モードへ復帰させる指示を通信装置へ送信する通信装置側通常モード復帰処理と、を実行することを特徴とする。
【０００８】
当該画像形成装置の通信装置は、通信装置側通常モードと、省電力化を図った通信装置側スリープモードを備えている。また、制御装置は、制御装置側通常モードと、省電力化を図った制御装置側第１スリープモードとに加え、さらに、省電力化を図った制御装置側第２スリープモードを備えている。制御装置は、制御装置側第２スリープモードへ移行する場合には、通信装置側スリープモードへ移行させる指示を通信装置に行う。これにより、当該画像形成装置では、装置全体における消費電力をより抑えることで、消費電力の許容値を規定した様々な規格に適応させることが可能となる。
【０００９】
また、制御装置側第２スリープモードから制御装置側第１スリープモードへ復帰する条件が成立した場合に、通信装置の通信装置側スリープモードは維持される。制御装置側第１スリープモードや制御装置側第２スリープモードのように、制御装置側通常モードに比べて消費電力を抑えるモードでは、画像形成装置に対するユーザからの操作や、印刷を指示する印刷ジョブを受信する可能性が低く、通信装置に対してユーザからアクセスされる可能性も低いと考えられる。このため、通信装置側スリープモードの状態を維持しても、ユーザビリティの低下が問題とならない可能性が高いと考えられる。そこで、通信装置は、制御装置側の２つのスリープモード間でモードが切り替わる際には、通信装置側スリープモードの状態が維持される。一方で、制御装置は、制御装置側通常モードへ復帰するのに応じて、通信装置を消費電力の少ないモード（例えば、通信装置側スリープモード）から通信装置側通常モードへ復帰させる。これにより、ユーザビリティに対する影響を抑えつつ、制御装置と通信装置とをスリープモードで維持することで、省電力化を図ることが可能となる。
【００１０】
また、本発明の画像形成装置において、制御装置は、通信装置側スリープモード移行処理として、制御装置側第１スリープモードから制御装置側第２スリープモードへ移行するのに応じて、通信装置側スリープモードへ移行させる指示を通信装置へ向けて送信する構成としてもよい。
【００１１】
制御装置側第１スリープモードから制御装置側第２スリープモードへ移行する場合には、ユーザにより当該画像形成装置が利用される可能性がより低くなる。このため、当該画像形成装置では、制御装置側の第１スリープモードから第２スリープモードに移行するのに合わせて、通信装置を通信装置側スリープモードとすることで、ユーザビリティに対する影響を抑えつつ、省電力化を図ることが可能となる。
【００１２】
また、本発明の画像形成装置において、外部機器との通信を行う通信インターフェースを備え、制御装置は、通信インターフェースにおける通信量が、第１通信量以下であることに応じて、制御装置側第１スリープモードから制御装置側第２スリープモードへ移行する制御装置側第２スリープモード移行処理と、通信インターフェースにおける通信量が、第１通信量よりも多いことに応じて、制御装置側第２スリープモードから制御装置側第１スリープモードへ復帰する制御装置側第１スリープモード復帰処理と、を実行する構成としてもよい。
【００１３】
画像形成装置は、通信インターフェースによる通信量が少ない場合には、印刷ジョブの受信等がなく、ユーザに利用されている可能性が低いと考えられる。このため、制御装置は、通信量が一定の通信量（第１通信量）以下となると、制御装置側第２スリープモードへ移行する。一方、制御装置は、通信量が一定量を超えると、制御装置側第１スリープモードへ復帰することで、ユーザの利用に向けた準備を行うことが可能となる。
【００１４】
また、例えば、通信インターフェースにおける通信量が変動し易い状況となり、２つのスリープモード間でモードが変更されたとしても、通信装置は、上記したように通信装置側スリープモードが維持される。これにより、通信量の変動に応じて通信装置側のモードが変更されるのを抑制し省電力化を図ることが可能となる。また、通信装置側のモードが頻繁に変更されると、制御装置は、通信装置のモード変更による処理負荷が増加し、処理が煩雑となることで、処理速度が低下する虞がある。このため、当該画像形成装置では、通信量の変動に応じて通信装置側のモードが変更されるのを抑制することで、制御装置における処理負荷の軽減を図ることが可能となる。
【００１５】
また、本発明の画像形成装置において、制御装置は、当該制御装置における処理負荷を示す値が、第１閾値以下であることに応じて、制御装置側第１スリープモードから制御装置側第２スリープモードへ移行する制御装置側第２スリープモード移行処理と、処理負荷を示す値が、第１閾値よりも大きいことに応じて、制御装置側第２スリープモードから制御装置側第１スリープモードへ復帰する制御装置側第１スリープモード復帰処理と、を実行する構成としてもよい。
【００１６】
画像形成装置は、制御装置の処理負荷が少ない場合には、ユーザに利用されている可能性が低いと考えられる。このため、制御装置は、処理負荷を示す値が一定値（第１閾値）以下となると、制御装置側第２スリープモードへ移行する。一方、制御装置は、処理負荷の値が一定値を超えると、制御装置側第１スリープモードへ復帰することで、ユーザの利用に向けた準備を行うことが可能となる。
【００１７】
また、例えば、制御装置における処理負荷が変動し易い状況となり、２つのスリープモード間でモードが変更されたとしても、通信装置は、上記したように通信装置側スリープモードが維持される。これにより、処理負荷の変動に応じて通信装置側のモードが変更されるのを抑制し省電力化を図ることが可能となる。また、通信装置側のモードが頻繁に変更されると、制御装置は、通信装置のモード変更による処理負荷が増加し、処理が煩雑となることで、処理速度が低下する虞がある。このため、当該画像形成装置では、処理負荷の変動に応じて通信装置側のモードが変更されるのを抑制することで、制御装置における処理負荷の軽減を図ることが可能となる。
【００１８】
また、本発明の画像形成装置において、制御装置は、第１処理回路と、第１処理回路に比べて消費電力が少ない第２処理回路とを有し、制御装置側第２スリープモード移行処理として、第１処理回路を停止させ、第２処理回路による処理を開始する構成としてもよい。
【００１９】
当該画像形成装置では、消費電力の異なる第１及び第２処理回路を備えることによって、例えば、処理負荷の変動に応じて使用する処理回路（ＣＰＵなど）を使い分けて省電力化を図ることが可能となる。そして、制御装置は、例えば、処理負荷を示す値が第１閾値以下となり、制御装置側第２スリープモード移行処理を実行する場合に、第２スリープモードへの移行に応じて、第１処理回路から第２処理回路へ処理を行う処理部を切り替える。これにより、処理負荷が少ない第２スリープモードにおいては、第２処理回路によって処理を実行することで、第２スリープモードにおける消費電力を抑えることが可能となる。なお、制御装置は、通信インターフェースにおける通信量が第１通信量以下となる場合の制御装置側第２スリープモード移行処理において処理部を切り替えことによっても、上記した効果と同様の効果を得ることが可能となる。
【００２０】
また、本発明の画像形成装置において、表示装置を備え、制御装置は、制御装置側通常モードにおいて、表示装置による表示処理を行う表示処理と、制御装置側通常モードから制御装置側第１スリープモードへ移行する条件が成立した場合に、表示装置を非表示とする非表示処理と、を実行構成としてもよい。
【００２１】
当該画像形成装置が備える表示装置は、制御装置側通常モードにおいて表示状態とされ、制御装置側第１スリープモードにおいて非表示とされる。制御装置は、制御装置側通常モードから制御装置側第１スリープモードへ移行する際に、表示装置を非表示とする非表示処理を行う。仮に、制御装置側通常モードから制御装置側第１スリープモードへ移行する際に、通信装置を通信装置側スリープモードへ移行させようとすると、制御装置は、当該移行処理と非表示処理との２つの処理を並列に実行する必要が生じる。その結果、移行処理や非表示処理に遅延が生じる虞がある。移行処理等に遅延が生じると、例えば、再度、ユーザの利用状況が変化して通信装置側通常モードへ復帰する条件が成立した場合に、復帰処理に遅延が生じる。従って、ユーザの利用状況の変化に迅速に対応できず、ユーザビリティの低下に繋がる。そこで、当該画像形成装置では、例えば、制御装置側通常モードから制御装置側第１スリープモードへ移行する条件が成立した場合に、通信装置を通信装置側スリープモードへ移行させずに通信装置側通常モードで維持させることで、上記した処理の遅延が発生するのを抑制して、ユーザビリティの維持を図ることが可能となる。
【００２２】
また、本発明の画像形成装置において、ユーザの操作にともなう入力信号を生成する入力装置を備え、制御装置は、入力装置からの入力信号の入力に応じて、制御装置側通常モードへ復帰する制御装置側通常モード復帰処理と、入力装置からの入力信号の入力がない状態が第１時間だけ継続したのに応じて、制御装置側通常モードから制御装置側第１スリープモードへ移行する制御装置側第１スリープモード移行処理と、を実行する構成としてもよい。
【００２３】
制御装置は、入力装置からの入力信号の入力があると、制御装置側通常モードへ移行する。これにともない、制御装置は、前記通信装置側通常モード復帰処理を実行し、通信装置を通信装置側通常モードへ復帰させる。例えば、通信装置が近接無線通信方式によりユーザの携帯電話と通信して認証を行う構成である場合には、ユーザは、入力装置に対して操作した後、携帯電話で認証を行う可能性が高い。そこで、当該画像形成装置では、入力装置に対する操作に応じて、通信装置を通常モードとする。これにより、ユーザが入力装置を操作してから携帯電話を使用して近接無線通信による認証を行う前に、通信装置を通常モードで起動しおくことで、認証に必要な時間を短縮してユーザビリティを向上できる。
【００２４】
また、制御装置は、一定時間（第１時間）だけ入力装置からの入力信号の入力がない場合に、第１スリープモードへ移行する。これにより、第１時間の長さを調整することで、例えば、通常モードと第１スリープモードとの間でモードが頻繁に変更されるのを回避して、制御装置における処理負荷を低減することが可能となる。
【００２５】
また、本発明の画像形成装置において、表示装置を備え、制御装置は、制御装置側通常モードにおいて、表示装置による表示処理を行う表示処理と、制御装置側通常モードから制御装置側第１スリープモードへ移行する条件が成立した場合に、表示装置を非表示とする非表示処理と、を実行し、制御装置側通常モード復帰処理にともなって、表示処理を実行した後、通信装置側通常モード復帰処理を実行する構成としてもよい。
【００２６】
当該画像形成装置では、通信装置を通常モードへ復帰させる処理（通信装置側通常モード復帰処理）に比べて表示処理を優先する。これにより、例えば、制御装置側第２スリープモードにおいて入力装置に対してユーザから操作が行われた場合に、通信装置のモード復帰の処理による遅延を抑制し、表示装置の表示処理を行って、ユーザに表示装置が有効になったことを迅速に知らせることが可能となる。
【００２７】
また、本発明の画像形成装置において、通信装置は、通信装置側スリープモードにおいて、携帯機器の接近を検出する接近検出処理と、接近検出処理において、携帯機器の接近を検出したことに応じて、接近検出信号を制御装置へ送信する接近検出信号送信処理と、を実行し、制御装置は、接近検出信号の受信に応じて、制御装置側通常モードへ復帰する制御装置側通常モード復帰処理と、接近検出信号の入力がない状態が第２時間だけ継続したのに応じて、制御装置側通常モードから制御装置側第１スリープモードへ移行する制御装置側第１スリープモード移行処理と、を実行する構成としてもよい。
【００２８】
当該画像形成装置の制御装置は、通信装置から接近検出信号を受信すると、制御装置側通常モードへ復帰する。これにともなって制御装置は、前記通信装置側通常モード復帰処理を実行し、通信装置を通信装置側通常モードへ復帰させる。例えば、通信装置が近接無線通信方式によりユーザの携帯電話（携帯機器）と通信して認証を行う構成である場合には、制御装置は、携帯電話の接近を検出するのに応じて、通信装置を通常モードへ復帰させる。これにより、認証に必要な時間を短縮してユーザビリティを向上できる。
【００２９】
また、制御装置は、一定時間（第２時間）だけ携帯機器の接近が検出されない場合に、第１スリープモードへ移行する。これにより、第２時間の長さを調整することで、例えば、通常モードと第１スリープモードとの間でモードが頻繁に変更されるのを回避して、制御装置における処理負荷を低減することが可能となる。
【００３０】
また、本発明の画像形成装置において、表示装置を備え、制御装置は、制御装置側通常モードにおいて、表示装置による表示処理を行う表示処理と、制御装置側通常モードから制御装置側第１スリープモードへ移行する条件が成立した場合、表示装置を非表示とする非表示処理と、を実行し、制御装置側通常モード復帰処理にともなって、通信装置側通常モード復帰処理を実行した後、表示処理を実行する構成としてもよい。
【００３１】
当該画像形成装置では、表示処理に比べて、通信装置を通常モードへ復帰させる処理（通信装置側通常モード復帰処理）を優先する。これにより、例えば、制御装置側第２スリープモードにおいて通信装置に対してユーザから携帯電話を使用した認証があった場合に、表示処理による遅延を抑制し、認証を迅速に処理することが可能となる。
【００３２】
また、本発明の画像形成装置において、表示装置を備え、制御装置は、表示装置に表示する画像の画像処理を行い、画像処理におけるデータを保存するメモリを有する第１制御装置と、表示装置、第１制御装置及び通信装置の３つの装置の各々に接続され、第１制御装置により画像処理された画像データを当該第１制御装置から受信して表示装置へ送信する第２制御装置と、を有し、通信装置は、通信装置側スリープモードにおいて、携帯機器の接近を検出する接近検出処理と、接近検出処理において、携帯機器の接近を検出したことに応じて、接近検出信号を第２制御装置へ送信する接近検出信号送信処理と、を実行し、第２制御装置は、通信装置から接近検出信号を受信した旨を、第１制御装置へ伝達する第１伝達処理を実行し、第１制御装置は、接近検出信号の受信に応じて、通信装置側スリープモードから通信装置側通常モードへ復帰させるスリープモード解除信号を、第２制御装置へ送信する解除信号送信処理を実行し、第２制御装置は、第１制御装置からスリープモード解除信号を受信した旨を、通信装置へ伝達する第２伝達処理を実行する構成としてもよい。
【００３３】
当該画像形成装置では、携帯機器の接近にともない通信装置側スリープモードが解除される場合には、第２制御装置は、通信装置から接近検出信号を受信した旨を、第１制御装置へ伝達する。そして、第２制御装置は、第１制御装置からスリープモード解除信号を受信した旨を、通信装置へ伝達することで、初めて通信装置のスリープモードは解除される。この構成では、通信装置側スリープモードの解除処理の回数が増加すると、単位時間当たりに第１制御装置と通信装置とで送受信されるデータ量が増加する。その結果、通信装置をスリープモードから解除するのに遅延が生じ、ユーザビリティの低下を招く虞がある。これに対し、画像形成装置は、上述したように制御装置側における２つのスリープモード間でモードが切り替わる際には、ユーザによる操作等の可能性が低いため、通信装置を通信装置側スリープモードで維持する。これにより、通信装置側スリープモードの解除回数を減らして、ユーザビリティを維持することが可能となる。
【００３４】
また、本発明の画像形成装置において、通信装置が行う無線通信を、近距離無線通信とする構成としてもよい。
【００３５】
当該画像形成装置において、通信装置が行う無線通信として、携帯電話を使用した認証などに広く利用されている近距離無線通信を採用し、汎用性を高めることは極めて有効である。
【発明の効果】
【００３６】
本発明に記載の画像形成装置では、無線通信を行う通信装置を備えるとともに、消費電力を抑えるための複数のスリープモードを備える構成において、省電力化とユーザビリティとの間の優先度を好適に切替えられる。
【図面の簡単な説明】
【００３７】
【図１】本発明の一実施形態に係る複合機の斜視図である。
【図２】複合機と携帯端末の電気的構成を示すブロック図である。
【図３】通常モード、スリープモードにおけるメインＣＰＵによる処理を説明するためのフローチャートである。
【図４】通常モード、スリープモードにおけるメインＣＰＵによる処理を説明するためのフローチャートである。
【図５】通常モード、スリープモードにおけるメインＣＰＵによる処理を説明するためのフローチャートである。
【図６】通常モード、スリープモードにおけるメインＣＰＵによる処理を説明するためのフローチャートである。
【図７】ディープスリープモードにおけるサブＣＰＵによる処理を説明するためのフローチャートである。
【図８】通常モード、スヌーズモードにおけるＮＦＣ基板のＣＰＵによる処理を説明するためのフローチャートである。
【図９】通常モード、スヌーズモードにおけるＮＦＣ基板のＣＰＵによる処理を説明するためのフローチャートである。
【図１０】第１比較例の複合機と携帯端末の電気的構成を示すブロック図である。
【図１１】第２比較例の複合機と携帯端末の電気的構成を示すブロック図である。
【発明を実施するための形態】
【００３８】
以下、本願の一実施形態について図面を参照しつつ説明する。図１は、本願に係る画像形成装置の実施形態である複合機１０の斜視図を示している。図２は、複合機１０と携帯端末Ｕの電気的構成を示すブロック図である。複合機１０は、通信機能、スキャン機能、印刷機能を備えている。複合機１０は、概ね箱型のケース本体１１と、当該ケース本体１１の上部側に設けられたフラットベット式のスキャン装置１３とを備えている。ケース本体１１は、内部に印刷装置１５を収容している。また、ケース本体１１の下部には、供給トレイ１７が前方より脱抜可能に嵌め合わされている。供給トレイ１７より給紙されたシート（用紙、ＯＨＰシートなど）は、シート搬送経路（図略）を介して印刷装置１５に搬送される。そして、印刷装置１５により印刷が行われ、印刷後のシートは、ケース本体１１の中央に設けられた胴内排紙部１９上に排紙される。
【００３９】
スキャン装置１３は、ＣＣＤやＣＩＳ等の読取デバイス（図略）、原稿台ガラス（図略）、原稿カバー２１等を備え、原稿カバー２１を開閉して原稿台ガラスに原稿を載置した後、読取デバイスを複合機１０の左右方向に移動させることで、原稿の画像を読み取る構成となっている。なお、スキャン装置１３の原稿カバー２１には、ＡＤＦ２３が設けられており、原稿載置部２５に載置した原稿を１枚ずつ送って読み取ることができる構成となっている。
【００４０】
また、ケース本体１１の前側の上面壁１２には、ＮＦＣ（Near Field Communicationの略）基板３０と、表示操作パネル４１とが、左右方向に並んで設けられている。ＮＦＣ基板３０（通信装置の一例）は、上面壁１２の左側に内蔵されている。表示操作パネル４１は、上面壁１２の概ね中央に配置されている。表示操作パネル４１は、例えば、抵抗膜方式や静電容量方式のタッチパネルと、液晶表示式の表示パネルを厚さ方向に重ねた構成であり、タッチパネル上に表示された操作キーを押圧操作することで、各種の入力操作を行うことが出来る構成となっている。
【００４１】
次に、図２を参照して、携帯端末Ｕ及び複合機１０の電気的構成を説明する。
ＮＦＣ基板３０は、近距離無線通信方式（以下、「ＮＦＣ方式」と称す）で携帯端末Ｕと通信を行うものであり、ループアンテナ３１と、通信回路３３と、ＣＰＵ３５とを備えている。なお、ＮＦＣ方式の通信（以下、「ＮＦＣ通信」という場合がある）は、ＩＳＯ／ＩＥＣ２１４８１又はＩＳＯ／ＩＥＣ１８０９２の国際標準規格に基づいて実行される。複合機１０は、例えば、ＮＦＣ基板３０と携帯端末ＵとのＮＦＣ通信によって、印刷を許可するユーザを認証することが可能となっている。
【００４２】
ループアンテナ３１は、ＮＦＣ方式で、相手機器と通信するため電波を送信・受信する。通信回路３３は、ループアンテナ３１で送信・受信される電波を信号処理する。また、ＣＰＵ３５は、ループアンテナ３１に流れる電流を検出することによって、ループアンテナ３１にて受信される電波（受信波）や、ループアンテナ３１から送信される電波（送信波）の強度を検出する。ＣＰＵ３５は、後述する各モードに応じてループアンテナ３１から送信される電波強度を変更する。
【００４３】
携帯端末Ｕは、例えば、携帯電話（スマートフォンなど）である。携帯端末Ｕは、端末制御部１１１と、ＮＦＣ基板１１３と、表示操作パネル１１５とを備えている。端末制御部１１１は、中央処理装置（以下、ＣＰＵ）１１７及びメモリ１１９を備えている。メモリ１１９は、例えば、ＲＯＭやＲＡＭ等を有し、ＲＯＭにはＯＳ、複合機１０に対して印刷処理を実行させる印刷アプリケーションプログラム、複合機１０にスキャナ処理を実行させるための読取アプリケーションプログラムなど、各種のプログラムが記憶されている。
【００４４】
ＣＰＵ１１７は、ＲＯＭから読み出したプログラムに従って、携帯端末Ｕの各部を制御する。なお、アプリケーションプログラムは、例えば、複合機１０のベンダによって提供されているサーバからダウンロードして携帯端末Ｕにインストールしたものでもよいし、複合機１０と共に出荷されるメディアから携帯端末Ｕにインストールしたものでもよい。また、アプリケーションプログラムは、携帯端末Ｕに予めインストールされたものでもよい。
【００４５】
ＮＦＣ基板１１３は、複合機１０側のＮＦＣ基板３０と同様に、ループアンテナ、通信回路、及びＣＰＵ（共に図示略）を備えており、携帯端末Ｕの裏面側（表示操作パネル１１５が設けられた表面の反対側の面）に取り付けられている。ＮＦＣ基板１１３は、ＮＦＣ通信を実行するためのＮＦＣインターフェースとして機能する。
【００４６】
表示操作パネル１１５は、例えば、抵抗膜方式や静電容量方式のタッチパネルと、液晶表示式の表示パネルを厚さ方向に重ねた構成であり、タッチパネル上に表示された操作キーを押圧操作することで各種の入力操作を行うことが出来る。また、各種の設定画面や装置の動作状態等を表示することが可能である。
【００４７】
複合機１０は、上記したスキャン装置１３、印刷装置１５、ＮＦＣ基板３０、表示操作パネル４１の他に、電源部４３、制御装置４５、パネル基板４６、及びインターフェース部４９を備えている。印刷装置１５は、制御装置４５の制御に基づいて、印刷ジョブに応じた画像をシートに印刷するものである。印刷装置１５は、例えば、電子写真方式、インクジェット方式の双方が使用可能であり、本実施形態の印刷装置１５は、定着器１５Ａが備えるヒータの熱によってシート上に転写された現像剤像を定着させる電子写真方式を採用している。
【００４８】
電源部４３は、複合機１０の電源として機能するものであり、スキャン装置１３、印刷装置１５、インターフェース部４９等に対して電力を供給する。例えば、印刷装置１５の動作電圧は、主に２４Ｖであり、この電力が電源部４３から供給される。
【００４９】
制御装置４５は、メインＡＳＩＣ（特定用途向け集積回路）５１と、メモリ５３と、第１タイマ５５と、第２タイマ５６とを備えている。メインＡＳＩＣ５１は、印刷装置１５における印刷処理を含む複合機１０の様々な処理を統括的に制御するものであり、メインＣＰＵ５８と、サブＣＰＵ５９とを備えている。サブＣＰＵ５９は、例えば、メインＣＰＵ５８に比べて消費電力が少なく、処理能力が低い処理回路である。
【００５０】
メモリ５３は、ＲＯＭ、ＲＡＭ等によって構成されている。メモリ５３は、メインＡＳＩＣ５１によって実行されるプログラムＰ等を格納する。メインＡＳＩＣ５１は、メモリ５３に格納されているプログラムＰを読み出して様々な処理を実行する。メインＡＳＩＣ５１がプログラムＰに従って処理を実行することによって、印刷装置１５による印刷処理、スキャン装置１３による画像読取処理、ＮＦＣ基板３０を介した携帯端末Ｕとの通信処理や、後述するモードの変更処理が実行される。また、複合機１０は、インターフェース部４９を介してネットワークに接続されおり、例えば、外部ＰＣから印刷ジョブを受信することが可能となっている。
【００５１】
パネル基板４６は、ＮＦＣ基板３０、表示操作パネル４１、及び制御装置４５の各々に接続されており、パネルＡＳＩＣ６１を備えている。パネル基板４６は、制御装置４５とシリアルバスＢ１を介して接続されている。パネルＡＳＩＣ６１は、制御装置４５からシリアルバスＢ１を介して受信した制御信号ＣＤ１を処理する。シリアルバスＢ１における制御信号ＣＤ１を伝送するシリアル通信は、例えば、ＵＡＲＴ通信により行われる。また、パネルＡＳＩＣ６１は、制御装置４５のメインＡＳＩＣ５１によって作成された表示画像データＧＤを、シリアルバスＢ１を介して受信する。パネルＡＳＩＣ６１は、パラレルバスＢ２を介して表示操作パネル４１と接続されており、制御装置４５から受信した表示画像データＧＤを表示操作パネル４１に表示する処理を行う。シリアルバスＢ１における表示画像データＧＤを伝送するシリアル通信は、例えば、ＬＶＤＳ（Low voltage differential signaling）の規格に準拠した通信である。
【００５２】
また、制御装置４５とＮＦＣ基板３０とは、シリアルバスＢ３によって接続されている。シリアルバスＢ３としては、例えば、Ｉ２Ｃ（アイ・スクエア・シー）バスを使用することができる。制御装置４５とＮＦＣ基板３０とは、シリアルバスＢ３を介して制御コマンドＣＤ２を送受信する。
【００５３】
また、制御装置４５の第１タイマ５５及び第２タイマ５６は、メインＡＳＩＣ５１の制御に応じて、時間の計測の開始、又は計測した時間のリセットを実行する。第１及び第２タイマ５５，５６は、電力供給を受けて時間を計測する回路（ハードウェア）でもよく、メインＡＳＩＣ５１上でプログラムを実行することで実現されるソフトウェアでもよい。
【００５４】
ここで、複合機１０は、動作モードとして通常モード（制御装置側通常モードの一例）、スリープモード（制御装置側第１スリープモードの一例）、ディープスリープモード（制御装置側第２スリープモードの一例）を有する。通常モードとは、複合機１０が印刷指示に応答して即座に印刷処理を実行できる状態、あるいは、印刷処理を実行している状態にあるモードである。そのため、通常モードでは、制御装置４５は、電源部４３を動作させ、定着器１５Ａのヒータを定着可能な定着温度或いは定着可能な温度よりやや低い待機温度に維持するように制御する。
【００５５】
また、制御装置４５のメインＡＳＩＣ５１は、複合機１０の使用状況や、第１及び第２タイマ５５，５６の計測時間に応じて複合機１０の消費電力を低減する処理を行う。より具体的には、制御装置４５は、表示操作パネル４１や電源部４３等の各装置への電力供給の総量を通常モードよりも低減する省エネモードとして、スリープモード、ディープスリープモードを切り替える制御を行う。
【００５６】
スリープモードは、例えば、定着器１５Ａのヒータへの電力供給を停止し、表示操作パネル４１の表示パネルのバックライトを消灯させ非表示の状態とすることで省電力化を図るモードである。ただし、スリープモードでは、ユーザによる入力操作には迅速に応答すべく、表示操作パネル４１のタッチパネルの機能については有効となっている。メインＡＳＩＣ５１は、第１タイマ５５の計測時間等に応じて、通常モードからスリープモードへの移行を実行する。本実施形態では、メインＡＳＩＣ５１は、例えば、通常モードにおいて第１タイマ５５の計測時間が５分（第１時間，第２時間の一例）を経過すると、スリープモードへ移行する。
【００５７】
一方、ディープスリープモードは、メインＡＳＩＣ５１において処理の主体をメインＣＰＵ５８から消費電力が少ないサブＣＰＵ５９に切り替えることで省電力化を図るモードである。また、ディープスリープモードは、電源部４３から印刷装置１５へ供給する駆動電圧を、２４Ｖから６Ｖに低減することによっても省電力化を図るモードである。ディープスリープモードにおいても、表示操作パネル４１の表示パネルのバックライトを消灯させ非表示の状態としており、ユーザによる入力操作には迅速に応答すべく、表示操作パネル４１のタッチパネルの機能については有効となっている。メインＡＳＩＣ５１は、第２タイマ５６の計測時間等に応じて、スリープモードからディープスリープモードへの移行を実行する。本実施形態では、メインＡＳＩＣ５１は、例えば、スリープモードにいて第２タイマ５６の計測時間が５分を経過すると、ディープスリープモードへ移行する。
【００５８】
さらに、本実施形態のＮＦＣ基板３０は、動作モードとして、通常モード（通信装置側通常モードの一例）、スヌーズモード（通信装置側スリープモードの一例）を有する。通常モードは、例えば、ＣＰＵ３５を起動させ、ＮＦＣ基板３０に携帯端末Ｕを接近させた場合に、即座にＮＦＣ通信を行って認証を実行できるモードである。スヌーズモードは、ＣＰＵ３５を停止することで省電力化を図るモードである。
【００５９】
ここで、ＮＦＣ基板３０は、当該ＮＦＣ基板３０の近傍となるケース本体１１の上面壁１２（図１参照）の上部に、ＮＦＣ通信を希望する携帯端末Ｕ等の外部機器が存在するか否かを探索するため、ループアンテナ３１から問い合わせのための電波（ポーリング用の電波）を所定時間毎に送信する。本実施形態のＮＦＣ基板３０は、スヌーズモードにおいて、ＣＰＵ３５を停止しつつポーリング用の電波を送信して外部機器の探索を実行するが、送信する電波強度を通常モードに比べて下げることによって省電力化を図っている。ＮＦＣ基板３０は、探索によって外部機器を検知した場合に、メインＡＳＩＣ５１に向けてその旨（割込要求信号ＳＩ１）を通知する。メインＡＳＩＣ５１は、ＮＦＣ基板３０からの通知を、パネル基板４６を介して受信し、それに応じてＮＦＣ基板３０のスヌーズモードを解除する制御を行う。このため、本実施形態のＮＦＣ基板３０では、スヌーズモードにおいて、ＣＰＵ３５が停止した状態でも割込要求信号ＳＩ１を送信できる構成となっている。
【００６０】
また、本実施形態の制御装置４５は、後述するように、ディープスリープモードへの移行にともなって、ＮＦＣ基板３０をスヌーズモードへ移行させる。また、制御装置４５は、ディープスリープモードから通常モードへ復帰、又はスリープモードから通常モードへ復帰する際には、ＮＦＣ基板３０をスヌーズモードから通常モードへ復帰させる制御を行う。
【００６１】
次に、制御装置４５のメインＡＳＩＣ５１によって実行される各モードにおける処理を、図３〜図６を参照して説明する。図３〜図６に示すフローチャートは、複合機１０の電源スイッチがＯＮされた場合、あるいはディープスリープモードが解除されメインＣＰＵ５８が起動された場合に、起動されたメインＣＰＵ５８によって実行される処理を示している。
【００６２】
まず、メインＣＰＵ５８は、図３に示すステップ（以下、単位「Ｓ」と記載する場合がある）１１において、サブＣＰＵ５９を停止する処理を行う。サブＣＰＵ５９は、電源の起動にともなって、あるいはディープスリープモードへの移行にともなって起動される。しかしながら、通常モード及びスリープモードでは、メインＣＰＵ５８が主体となって処理等を実行するため、サブＣＰＵ５９を停止する必要がある。
【００６３】
次に、複合機１０は、スリープモードへ移行する（Ｓ１３）。即ち、複合機１０は、制御装置４５のメインＣＰＵ５８を起動し、表示操作パネル４１の表示パネルを表示状態とする。メインＣＰＵ５８は、以降の処理において各モードに移行すべきか否かを判断するために時間の計測を行う必要があるため、第１及び第２タイマ５５，５６の計測時間をクリアする（Ｓ１５）。
【００６４】
次に、メインＣＰＵ５８は、電源スイッチがＯＮされたことにともなって処理が開始されたのか、ディープスリープモードから復帰してきて処理が開始されたのかを判定する（Ｓ１７）。メインＣＰＵ５８は、後述するディープスリープモードからの復帰を判定する５つの条件（インターフェース部４９を介して外部ＰＣから印刷ジョブを受信する等）を全て満たさない場合に、電源スイッチのＯＮにより処理が開始されたと判定し（Ｓ１７：ＹＥＳ）、ＮＦＣ基板３０のスヌーズモードを解除する制御信号ＣＤ１をパネルＡＳＩＣ６１へ送信し、通常モードにした状態でＮＦＣ基板３０のＣＰＵ３５等の初期化を実行する（Ｓ１９）。一般的には、ＮＦＣ方式等の近距離無線通信を実行する基板では、通常モードと、省電力化のスヌーズモードとを備える場合には、通常モードの状態でチップ等の初期化を実行すると、省電力化のモードに比べて処理に係る時間が短縮される。このためメインＣＰＵ５８は、まず、ＮＦＣ基板３０を通常モードとした上で、初期化処理を実行することで、起動時の初期化処理に必要な時間の短縮を図っている。
【００６５】
また、パネルＡＳＩＣ６１は、例えば、スヌーズモードの設定又は解除を、ＮＦＣ基板３０と接続されるＩ／Ｏ端子に送出する信号レベルを変更することで実行可能となっている。このため、パネルＡＳＩＣ６１は、例えば、スヌーズモードを解除する制御信号ＣＤ１を受信した場合には、Ｉ／Ｏ端子に送出する信号レベルをハイレベルからローレベルに変更する。さらに、本実施形態のＮＦＣ基板３０は、Ｉ／Ｏ端子の信号レベルに加えて、制御装置４５からシリアルバスＢ３を通じた制御コマンドＣＤ２が受信されるまで、モードの移行又は復帰を実行しない設定となっている。このため、ＮＦＣ基板３０は、信号レベルの変化を検出し、制御コマンドＣＤ２が受信された場合に、スヌーズモードから通常モードへ復帰する。
【００６６】
次に、メインＣＰＵ５８は、通常モードへの復帰に向けて、表示操作パネル４１の表示パネルに表示する表示画像データＧＤを生成する（Ｓ２１）。なお、メインＣＰＵ５８は、パネル基板４６とは異なり、記憶装置としてメモリ５３を備えており、一時データをメモリ５３のＲＡＭ等に保存しながら画像処理を実行する。メインＣＰＵ５８は、生成した表示画像データＧＤをパネルＡＳＩＣ６１へ送信する（Ｓ２３）。また、メインＣＰＵ５８は、表示操作パネル４１を非表示状態から表示状態に変更するための起動信号（制御信号ＣＤ１）を、パネルＡＳＩＣ６１へ送信する（Ｓ２３）。パネルＡＳＩＣ６１は、表示操作パネル４１を表示状態にするとともに、メインＣＰＵ５８から受信した表示画像データＧＤを表示パネルに表示させる。複合機１０は、表示パネルが表示状態となることで通常モードとなる（Ｓ２５）。メインＣＰＵ５８は、図４のＳ５３以降の処理を実行する。
【００６７】
一方、Ｓ１７において電源スイッチのＯＮにより処理が開始されていない場合（Ｓ１７：ＮＯ）、即ち、ディープスリープモードから復帰して処理が開始された場合は、ディープスリープモードからスリープモード、あるいはディープスリープモードから通常モードへ復帰する場合に該当する。ディープスリープモード及びスリープモードでは、表示操作パネル４１のパネル表示は、非表示の状態となっている。換言すれば、表示パネルを表示する必要がある場合には、通常モードへ移行することとなる。このため、メインＣＰＵ５８は、ディープスリープモードから復帰した要因が、表示パネルを表示する必要がある機能が実行されたのか否かを判定し（Ｓ２７）、該当する場合には表示処理を行って通常モードへ移行する。
【００６８】
本実施形態の複合機１０では、ディープスリープモードから通常モード又はスリープモードへ復帰する条件は、インターフェース部４９を介して外部ＰＣから印刷ジョブを受信した場合、表示操作パネル４１に対するユーザからの操作を検知した場合、ポーリングによって携帯端末Ｕなどの接近を検知しＮＦＣ基板３０から割込要求信号ＳＩ１（図２参照）を受信した場合、サブＣＰＵ５９の処理負荷が一定値（第１閾値Ｌ）を超えた場合、インターフェース部４９における通信量が一定量（第１通信量Ｄ）を超えた場合の５つの条件が設定されている。このうち、印刷ジョブを受信した場合、ユーザ操作を検知した場合、ＮＦＣ基板３０の割込要求信号ＳＩ１を受信した場合、の３つの場合は、表示操作パネル４１の表示パネルを表示する要求（以下、「パネル表示要求」という場合がある）を検出した場合、即ち、通常モードへ復帰する場合に該当する。このため、メインＣＰＵ５８は、３つのパネル表示要求のうち、いずれかの要求を検出した場合（Ｓ２７：ＹＥＳ）、通常モードへ復帰する前に、表示パネルの表示処理に合わせて３つのパネル表示要求の内容に応じた前処理（Ｓ２９以降の処理）を実行する。
【００６９】
また、パネル表示要求のうち、ＮＦＣ基板３０の割込要求信号ＳＩ１を受信した場合は、他の２つの場合と異なる前処理が必要となる。このため、メインＣＰＵ５８は、パネル表示要求を検知した場合（Ｓ２７：ＹＥＳ）、パネルＡＳＩＣ６１から割込要求信号ＳＩ１を受信しているか否かを判定する（Ｓ２９）。一方、パネル表示要求を検知していない場合（Ｓ２７：ＮＯ）は、ディープスリープモードからスリープモードへ復帰する場合である。このため、メインＣＰＵ５８は、パネル表示要求を検知しない場合（Ｓ２７：ＮＯ）、図５のＳ８３以降のスリープモードに対応した処理を開始する。
【００７０】
また、ＮＦＣ基板３０からメインＣＰＵ５８へ割込要求信号ＳＩ１が送信される場合は、複合機１０がディープスリープモード、且つＮＦＣ基板３０がスヌーズモードの状態において、ユーザが携帯端末ＵをＮＦＣ基板３０にかざした場合となる。このため、Ｓ２９において、メインＣＰＵ５８は、割込要求信号ＳＩ１を受信している場合（Ｓ２９：ＹＥＳ）、ＮＦＣ基板３０のスヌーズモードを解除する制御信号ＣＤ１をパネルＡＳＩＣ６１へ送信する（Ｓ３１）。パネルＡＳＩＣ６１は、例えば、スヌーズモードを解除する制御信号ＣＤ１を受信した場合には、ＮＦＣ基板３０に接続されたＩ／Ｏ端子に送出する信号レベルをハイレベルからローレベルに変更する（第２伝達処理の一例）。さらに、メインＣＰＵ５８は、シリアルバスＢ３を介して制御コマンドＣＤ２をＮＦＣ基板３０へ送信し、ＮＦＣ基板３０を通常モードへ復帰させる（Ｓ３２）。
【００７１】
次に、メインＣＰＵ５８は、ＮＦＣ基板３０を通常モードにした状態でＮＦＣ基板３０と携帯端末ＵとのＮＦＣ通信を行う（Ｓ３３）。メインＣＰＵ５８は、携帯端末Ｕの認証等を行う。メインＣＰＵ５８は、通常モードへの復帰にともなって、表示操作パネル４１に表示する表示画像データＧＤを生成し（Ｓ３５）、生成した表示画像データＧＤをパネルＡＳＩＣ６１へ送信する（Ｓ３７）。また、メインＣＰＵ５８は、表示操作パネル４１を表示状態とする起動信号（制御信号ＣＤ１）を、パネルＡＳＩＣ６１へ送信する（Ｓ３７）。表示パネルが表示されることで、複合機１０は、通常モードとなる（Ｓ３９）。
【００７２】
ここで、上記したように、本実施形態のメインＣＰＵ５８は、ＮＦＣ基板３０によるＮＦＣ通信を実行させるための処理（Ｓ３１，Ｓ３２，Ｓ３３）を実行した後に、表示操作パネル４１を表示させる表示処理（Ｓ３５，Ｓ３７）を実行している。つまり、メインＣＰＵ５８は、表示処理に比べて通信処理を優先して実行している。これは、通信処理は、ＮＦＣ通信やユーザの認証処理等を実行することから、表示処理に比べて処理負荷が大きく、処理時間が長くなる虞があるからである。このため、メインＣＰＵ５８は、通信処理を優先して実行することで、ユーザ認証等の処理に遅延が発生するのを抑制して、ユーザビリティの向上を図っている。
【００７３】
一方、割込要求信号ＳＩ１を受信していない場合は（Ｓ２９：ＮＯ）、複合機１０がディープスリープモード、且つＮＦＣ基板３０がスヌーズモードの状態において、インターフェース部４９において印刷ジョブを受信した場合又は表示操作パネル４１に対するユーザ操作を検知した場合に相当し、メインＣＰＵ５８は、Ｓ４１以降の処理を実行する。メインＣＰＵ５８は、通常モードへの復帰にともなって、表示操作パネル４１に表示する表示画像データＧＤを生成し（Ｓ４１）、生成した表示画像データＧＤ及び起動信号（制御信号ＣＤ１）をパネルＡＳＩＣ６１へ送信する（Ｓ４３）。複合機１０は、表示パネルが表示状態となることで通常モードとなる（Ｓ４５）。
【００７４】
次に、メインＣＰＵ５８は、ＮＦＣ基板３０のスヌーズモードを解除する制御信号ＣＤ１をパネルＡＳＩＣ６１へ送信し（Ｓ４７）。この際に、スヌーズモードの解除に係わる制御信号ＣＤ１と、Ｓ４３で送信した表示パネルを表示させる制御信号ＣＤ１とが、シリアルバスＢ１（図２参照）の伝送において競合する可能性がある。このため、ＮＦＣ基板３０がスヌーズモードから通常モードへ復帰したことを検出できない場合には、メインＣＰＵ５８は、再度、スヌーズモードを解除する制御信号ＣＤ１を送出する処理を実行することが好ましい。また、メインＣＰＵ５８は、シリアルバスＢ３を介して制御コマンドＣＤ２をＮＦＣ基板３０へ送信し、ＮＦＣ基板３０を通常モードへ移行させる（Ｓ４９）。
【００７５】
ここで、上記したように、本実施形態のメインＣＰＵ５８は、上記したＳ３１以降の割込要求信号ＳＩ１を受信した場合と異なり、印刷ジョブを受信又なパネル操作を検知した場合には、表示操作パネル４１を表示させる表示処理（Ｓ４１，Ｓ４３）を実行した後に、ＮＦＣ基板３０のスヌーズモードを解除する処理（Ｓ４７，Ｓ４９）を実行している。つまり、メインＣＰＵ５８は、スヌーズモードの解除処理に比べて表示処理を優先して実行している。これは、上記Ｓ３１等に比べて、ＮＦＣ通信（認証等）をすぐさま実行する可能性は低いため、表示処理を優先している。これにより、例えば、ディープスリープモードにおいて表示操作パネル４１に対してユーザから操作が行われた場合に、ＮＦＣ基板３０を通常モードに復帰させる処理の優先度を下げ表示処理における遅延を抑制し、表示操作パネル４１の表示が有効になったことをユーザに迅速に知らせることが可能となる。
【００７６】
次に、図４に示すように、メインＣＰＵ５８は、Ｓ３９又はＳ４９を実行した後に、ディープスリープモードに移行するのにともなって変更していた各種の設定を解除する（Ｓ５１）。具体的には、ディープスリープモードでは、電源部４３から印刷装置１５へ供給する駆動電圧を２４Ｖから６Ｖに下げて、印刷装置１５の定着器１５Ａのヒータをオフ状態としている。このため、メインＣＰＵ５８は、電源部４３の出力電圧を２４Ｖに上げて、定着器１５Ａのヒータをオン制御する。また、メインＣＰＵ５８は、定着器１５Ａを制御して、ヒータの温度を、印刷を実行しない待機状態での待機温度とする。そして、図３に示すＳ２５又はＳ５１を実行した後に通常モードの処理を開始すると、メインＣＰＵ５８は、通常モード中の経過時間を計測するため、第１タイマ５５による計測を開始する（図４のＳ５３）。
【００７７】
次に、メインＣＰＵ５８は、上記したディープスリープモード中の３つのパネル表示要求の各々に応じた処理を行うため、Ｓ５５以降の処理を実行する。なお、メインＣＰＵ５８は、後述する図５のスリープモード中のＳ１００においてパネル表示要求を検出した場合にも（Ｓ１００：ＹＥＳ）、図６に示すＳ１００以降の各処理を実行した後に、図４のＳ５３からの処理を再開し、Ｓ５５以降の処理を実行することとなる。
【００７８】
まず、メインＣＰＵ５８は、インターフェース部４９を介して印刷ジョブを受信したか否かを判定する（図４のＳ５５）。メインＣＰＵ５８は、印刷ジョブを受信している場合（Ｓ５５：ＹＥＳ）、一度、第１タイマ５５の計測時間をクリアし（Ｓ５７）、印刷ジョブに応じた印刷処理を実行する（Ｓ５９）。具体的には、メインＣＰＵ５８は、Ｓ５９の印刷処理として、定着器１５Ａのヒータの温度を待機温度から印刷が実行可能な定着温度まで上昇させる。また、メインＣＰＵ５８は、印刷処理の動作中に表示する表示画像データＧＤを生成し、パネルＡＳＩＣ６１に送信する。パネルＡＳＩＣ６１は、表示操作パネル４１の表示パネルの表示を変更する。また、メインＣＰＵ５８は、受信した印刷ジョブを印刷装置１５によって印刷処理し、最終ページを胴内排紙部１９（図１参照）に排紙した後、ヒータの温度を待機温度に戻す制御を実行する。
【００７９】
また、メインＣＰＵ５８は、印刷ジョブを受信していない場合（Ｓ５５：ＮＯ）、ＮＦＣ基板３０の割込要求信号ＳＩ１を受信したか否かを判定する（Ｓ６１）。メインＣＰＵ５８は、割込要求信号ＳＩ１を受信している場合（Ｓ６１：ＹＥＳ）、第１タイマ５５の計測時間をクリアし（Ｓ６３）、携帯端末ＵとのＮＦＣ通信の処理を実行する（Ｓ６５）。具体的には、Ｓ６５において、メインＣＰＵ５８は、例えば、携帯端末ＵからＮＦＣ基板３０へ送信された印刷ジョブを、パネルＡＳＩＣ６１を介して受信する。メインＣＰＵ５８は、定着器１５Ａのヒータの温度を、待機温度から定着温度に上昇させ、携帯端末Ｕから受信した印刷ジョブに応じた画像データを印刷装置１５によって印刷する。なお、メインＣＰＵ５８は、印刷処理の動作中に表示する表示画像データＧＤを生成し、表示操作パネル４１に表示してもよい。メインＣＰＵ５８は、すべての印刷ジョブの印刷処理が完了した場合や、携帯端末ＵとのＮＦＣ通信が切断された場合には、Ｓ６５の処理を終了する。
【００８０】
また、メインＣＰＵ５８は、割込要求信号ＳＩ１を受信していない場合（Ｓ６１：ＮＯ）、表示操作パネル４１からユーザの操作に応じた入力信号ＳＩ２（図２参照）を受信しているか否かを判定する（Ｓ６７）。メインＣＰＵ５８は、入力信号ＳＩ２を受信していた場合（Ｓ６７：ＹＥＳ）、第１タイマ５５の計測時間をクリアし（Ｓ６９）、ユーザが表示操作パネル４１に対して行ったパネル操作に応じた処理を実行する（Ｓ７１）。具体的には、例えば、表示操作パネル４１からコピー印刷の操作に応じた入力信号ＳＩ２を受信した場合には、メインＣＰＵ５８は、ＡＤＦ２３（図１参照）を駆動して、原稿載置部２５に載置した原稿を１枚ずつ送って読み取りながら、印刷装置１５によって読み込んだ画像データを印刷する。
【００８１】
メインＣＰＵ５８は、Ｓ５９、Ｓ６５又はＳ７１の処理を実行した後に、第１タイマ５５による時間計測を再開し（Ｓ７３）、第１タイマ５５の計測時間が５分を経過しているか否か判定する（Ｓ７５）。また、メインＣＰＵ５８は、Ｓ６７において、入力信号ＳＩ２を受信していない場合（Ｓ６７：ＮＯ）、即ち、３つのパネル表示要求のいずれも検知できない場合には、第１タイマ５５の計測時間が５分を経過しているか否か判定する（Ｓ７５）。メインＣＰＵ５８は、計測時間が５分を経過していない場合（Ｓ７５：ＮＯ）、Ｓ５５からの処理を繰り返し実行し、通常モードを維持する。
【００８２】
一方、メインＣＰＵ５８は、第１タイマ５５の計測時間が５分を経過している場合（Ｓ７５：ＹＥＳ）、第１タイマ５５の計測時間をクリアし（Ｓ７７）、表示操作パネル４１の表示パネルを非表示とする制御信号ＣＤ１をパネルＡＳＩＣ６１に送信する（Ｓ７９）。パネルＡＳＩＣ６１は、表示操作パネル４１の表示パネルのバックライトを消灯し非表示状態とする。複合機１０は、表示パネルが非表示となることで、通常モードからスリープモードへ移行する（Ｓ８１）。また、メインＣＰＵ５８は、定着器１５Ａのヒータへの電力供給を停止させる。これにより、複合機１０は、スリープモードにおいて省電力化が図られる。この状態では、印刷装置１５には、電源部４３から２４Ｖの電源が供給されている。
【００８３】
スリープモードに移行した後、メインＣＰＵ５８は、スリープモード中の経過時間を計測するため、第２タイマ５６による時間計測を開始し（Ｓ８３）、第２タイマ５６の計測時間が５分を経過しているか否かを判定する（図５のＳ８５）。図５に示すように、メインＣＰＵ５８は、第２タイマ５６の計測時間が５分を経過している場合（Ｓ８５：ＹＥＳ）、スリープモード中にユーザからの利用がないまま５分が経過したため、ディープスリープモードへ移行しさらなる省電力化を図る。
【００８４】
メインＣＰＵ５８は、第２タイマ５６の経過時間をクリアし（Ｓ８９）、ＮＦＣ基板３０が通常モードであるか否かを判定する（Ｓ９１）。メインＣＰＵ５８は、ＮＦＣ基板３０が通常モードである場合（Ｓ９１：ＹＥＳ）、ＮＦＣ基板３０をスヌーズモードに設定する制御信号ＣＤ１をパネルＡＳＩＣ６１へ送信する（Ｓ９３）。パネルＡＳＩＣ６１は、例えば、スヌーズモードを設定する制御信号ＣＤ１を受信した場合には、ＮＦＣ基板３０に接続されたＩ／Ｏ端子に送出する信号レベルをローレベルからハイレベルに変更する。さらに、メインＣＰＵ５８は、シリアルバスＢ３を介して制御コマンドＣＤ２をＮＦＣ基板３０へ送信し、ＮＦＣ基板３０をスヌーズモードへ移行させる（Ｓ９５）。
【００８５】
また、メインＣＰＵ５８は、処理の主体を切り替えるため、サブＣＰＵ５９を起動し（Ｓ９７）、ディープスリープモードとなり停止される前に、必要なデータ等をサブＣＰＵ５９に受け渡す処理を実行する。メインＣＰＵ５８は、ディープスリープモードへ移行する前に、電源部４３から印刷装置１５へ供給する駆動電圧を２４Ｖから６Ｖに下げる処理等実行する。そして、起動されたサブＣＰＵ５９によって、後述する図７に示すディープスリープモード中の処理が実行される。また、Ｓ９１において、メインＣＰＵ５８は、ＮＦＣ基板３０が通常モードでない場合（Ｓ９１：ＮＯ）、Ｓ９７の処理を実行する。
【００８６】
一方、Ｓ８５において、第２タイマ５６の計測時間が５分を経過していない場合（Ｓ８５：ＮＯ）、メインＣＰＵ５８は、当該メインＣＰＵ５８における処理負荷を判定する（Ｓ９８）。メインＣＰＵ５８は、処理負荷を示す値が第１閾値Ｌ以下の場合（Ｓ９８：ＹＥＳ）、Ｓ８９以降のディープスリープモードへ移行する処理を開始する。これは、メインＣＰＵ５８の処理負荷が低い場合には、ユーザに利用されている可能性が低いと考えられるため、ディープスリープモードへ移行してさらなる省電力化を優先して行ったとしても、ユーザビリティの低下が問題とならない可能性が高いと考えられるからである。なお、ここでいう処理負荷とは、例えば、メインＣＰＵ５８で実行中のプログラムが、単位時間当たりにメインＣＰＵ５８の処理時間を占有している割合である。あるいは、メインＣＰＵ５８は、メモリ５３に対するアクセス頻度、メインＣＰＵ５８に接続されたＣＰＵバスでのデータの転送頻度等を考慮して処理負荷を判定してもよい。
【００８７】
また、メインＣＰＵ５８は、処理負荷が第１閾値Ｌよりも大きい場合（Ｓ９８：ＮＯ）、インターフェース部４９における通信量を判定する（Ｓ９９）。メインＣＰＵ５８は、例えば、インターフェース部４９で単位時間当たりに受信されるデータ量が、第１通信量Ｄ以下の場合（Ｓ９９：ＹＥＳ）、Ｓ８９以降のディープスリープモードへ移行する処理を開始する。これは、通信量の低減は、例えば、インターフェース部４９を介して外部ＰＣからの問い合わせがない、あるいは少ない状態ということで、ユーザに利用される可能性が低いと考えられるため、ディープスリープモードへ移行してさらなる省電力化を優先して行ったとしても、ユーザビリティの低下が問題とならない可能性が高いと考えられるからである。
【００８８】
また、メインＣＰＵ５８は、インターフェース部４９における通信量が第１通信量Ｄより大きい場合（Ｓ９９：ＮＯ）、スリープモード中において、パネル表示要求を検出していないか否かを判定する（Ｓ１００）。このパネル表示要求を検出する場合とは、図３に示すＳ２７におけるパネル表示要求と同様に、インターフェース部４９を介して印刷ジョブを受信した場合などの表示操作パネル４１の表示パネルを表示する条件が成立した場合であり、換言すれば、スリープモードから通常モードへ復帰する場合である。メインＣＰＵ５８は、パネル表示要求を検出しない場合（Ｓ１００：ＮＯ）、Ｓ８５からの処理を実行し、スリープモードを維持する。
【００８９】
また、メインＣＰＵ５８は、パネル表示要求を検出した場合（Ｓ１００：ＹＥＳ）、第２タイマ５６の経過時間をクリアし（Ｓ１０１）、通常モードへ復帰する前に、３つのパネル表示要求の内容に応じた前処理を実行する。パネル表示要求のうち、ＮＦＣ基板３０の割込要求信号ＳＩ１を受信した場合は、他の２つの場合と異なり、ＮＦＣ基板３０接近した携帯端末Ｕとの通信処理が必要となる。このため、メインＣＰＵ５８は、図６に示すように、割込要求信号ＳＩ１を受信している場合（Ｓ１０３：ＹＥＳ）、ＮＦＣ基板３０がスヌーズモードであるか否かを判定する（Ｓ１０５）。メインＣＰＵ５８は、ＮＦＣ基板３０がスヌーズモードである場合（Ｓ１０５：ＹＥＳ）、ＮＦＣ基板３０のスヌーズモードを解除する制御信号ＣＤ１をパネルＡＳＩＣ６１へ送信する（Ｓ１０７）。また、メインＣＰＵ５８は、制御コマンドＣＤ２をＮＦＣ基板３０へ送信し、ＮＦＣ基板３０を通常モードへ移行させる（Ｓ１０８）。
【００９０】
メインＣＰＵ５８は、ＮＦＣ基板３０が通常モードである場合（Ｓ１０５：ＮＯ）、あるいはＳ１０８を実行してＮＦＣ基板３０を通常モードとした場合、ＮＦＣ基板３０と携帯端末ＵとのＮＦＣ通信を行う（Ｓ１０９）。メインＣＰＵ５８は、携帯端末Ｕの認証等を行う。次に、メインＣＰＵ５８は、通常モードへの移行にともなって、表示操作パネル４１に表示する表示画像データＧＤを生成し（Ｓ１１１）、生成した表示画像データＧＤをパネルＡＳＩＣ６１へ送信する（Ｓ１１３）。また、メインＣＰＵ５８は、表示操作パネル４１を表示状態とする起動信号（制御信号ＣＤ１）を、パネルＡＳＩＣ６１へ送信する（Ｓ１１３）。表示パネルが表示されることで、複合機１０は、通常モードとなる（Ｓ１１５）。この場合においても、上記したＳ３１〜Ｓ３９の処理と同様に、メインＣＰＵ５８は、ＮＦＣ基板３０によるＮＦＣ通信を実行させるための処理（Ｓ１０７，Ｓ１０８，Ｓ１０９）を実行した後に、表示操作パネル４１を表示させる表示処理（Ｓ１１１，Ｓ１１３）を実行して、ユーザ認証等の処理に遅延が発生するのを抑制して、ユーザビリティの向上を図っている。
【００９１】
一方、メインＣＰＵ５８は、割込要求信号ＳＩ１を受信していない場合（Ｓ１０３：ＮＯ）、Ｓ１１７以降の処理を実行する。Ｓ１１７〜Ｓ１２７の処理は、スリープモード中において、インターフェース部４９において印刷ジョブを受信した場合及び表示操作パネル４１に対するユーザ操作を検知した場合に共通する処理である。メインＣＰＵ５８は、通常モードへの移行にともなって、表示操作パネル４１に表示する表示画像データＧＤを生成し（Ｓ１１７）、生成した表示画像データＧＤ及び起動信号をパネルＡＳＩＣ６１へ送信する（Ｓ１１９）。複合機１０は、表示パネルが表示状態となることで通常モードとなる（Ｓ１２１）。
【００９２】
次に、メインＣＰＵ５８は、ＮＦＣ基板３０がスヌーズモードである場合（Ｓ１２３：ＹＥＳ）、ＮＦＣ基板３０のスヌーズモードを解除する制御信号ＣＤ１をパネルＡＳＩＣ６１へ送信する（Ｓ１２５）。この際に、スリープモードの解除に係わる制御信号ＣＤ１と、Ｓ１１９で実行した表示パネルを表示させるのに係わる制御信号ＣＤ１とが、シリアルバスＢ１（図２参照）の伝送において競合する可能性がある。このため、ＮＦＣ基板３０がスヌーズモードから通常モードへ移行したことを検出できない場合には、メインＣＰＵ５８は、再度、スヌーズモードを解除する制御信号ＣＤ１を送出する処理を実行することが好ましい。メインＣＰＵ５８は、制御コマンドＣＤ２をＮＦＣ基板３０へ送信し、ＮＦＣ基板３０を通常モードへ移行させる（Ｓ１２７）。メインＣＰＵ５８は、Ｓ１１５又はＳ１２７を実行した場合、あるいはＮＦＣ基板３０が通常モードである場合（Ｓ１２３：ＮＯ）、図４に示すＳ５３以降の処理を実行する。
【００９３】
また、上記した図３に示すＳ４１〜Ｓ４９と同様に、メインＣＰＵ５８は、表示操作パネル４１を表示させる表示処理（Ｓ１１７，Ｓ１１９）を実行した後に、ＮＦＣ基板３０のスヌーズモードを解除する処理（Ｓ１２５，Ｓ１２７）を実行して、表示操作パネル４１の表示が有効になったことをユーザに迅速に知らせることが可能となっている。
【００９４】
次に、ディープスリープモードへの移行処理、及びディープスリープモード中の処理について、図７を参照して説明する。図７は、図５のＳ９７においてメインＣＰＵ５８によって起動されたサブＣＰＵ５９が実行する処理を示している。
【００９５】
まず、サブＣＰＵ５９は、メインＣＰＵ５８によって起動され、必要なデータを引き継いだ後、メインＣＰＵ５８の起動を停止する処理を実行する（Ｓ１３１）。複合機１０は、メインＣＰＵ５８が停止されることでディープスリープモードとなる（Ｓ１３３）。サブＣＰＵ５９は、上記したメインＣＰＵ５８の処理で用いた条件と同様の条件に従って、ディープスリープモードを維持すべきか、メインＣＰＵ５８を起動して通常モード又はスヌーズモードへ復帰すべきか判定する。
【００９６】
まず、サブＣＰＵ５９は、当該サブＣＰＵ５９における処理負荷を判定する（Ｓ１３５）。サブＣＰＵ５９は、処理負荷を示す値が第１閾値Ｌより大きい場合（Ｓ１３５：ＹＥＳ）、メインＣＰＵ５８を起動する（Ｓ１４１）。これは、サブＣＰＵ５９の処理負荷が増加する場合には、例えば、スキャン装置１３の原稿カバー２１がユーザによって開けられ読み取りデバイスのイニシャライズが開始される、あるいは供給トレイ１７にユーザがシートを補充したことを検出するなど、ユーザにより複合機１０が利用され処理負荷が増大した可能性が高いため、省電力化よりもユーザビリティを優先させておいたほうがよいと考えられるからである。
【００９７】
起動されたメインＣＰＵ５８は、図３に示すＳ１１以降の処理を開始する。この場合、メインＣＰＵ５８は、Ｓ１１〜Ｓ１７、Ｓ２７を実行し、パネル表示要求を検出しないため（Ｓ２７：ＮＯ）、図４のＳ８３以降の処理を開始する。即ち、この場合、ディープスリープモードからスリープモードへ復帰することとなる。そして、本実施形態の複合機１０では、メインＡＳＩＣ５１をディープスリープモードからスリープモードへ復帰させる一方で、ＮＦＣ基板３０のスヌーズモードを維持する。
【００９８】
また、サブＣＰＵ５９は、処理負荷が第１閾値Ｌ以下の場合（Ｓ１３５：ＮＯ）、インターフェース部４９における通信量を判定する（Ｓ１３７）。サブＣＰＵ５９は、例えば、インターフェース部４９で単位時間当たりに受信されるデータ量が、第１通信量Ｄより大きい場合（Ｓ１３７：ＹＥＳ）、メインＣＰＵ５８を起動する（Ｓ１４１）。これは、例えば、サブＣＰＵ５９からインターフェース部４９を介して複合機１０のベンダが提供するサーバに定期的に問い合わせを実行している場合に、新規メールなどの新しいデータをダウンロードすることによって、通信量が増加することが考えられる。そして、ダウンロードされた新しい情報をユーザが確認するなど、ユーザが複合機１０を利用する可能性が高くなる。このため、サブＣＰＵ５９は、通信量が増加した場合に、メインＣＰＵ５８を起動し、省電力化よりもユーザビリティを優先するのである。この場合、Ｓ１３５における処理負荷が増加した場合と同様に、ディープスリープモードからスリープモードへ復帰することとなる。
【００９９】
また、サブＣＰＵ５９は、インターフェース部４９における通信量が第１通信量Ｄ以下の場合（Ｓ１３７：ＮＯ）、パネル表示要求を検出したか否か判定する（Ｓ１３９）。このパネル表示要求を検出する場合とは、図３のＳ２７におけるパネル表示要求と同様に、インターフェース部４９を介して印刷ジョブを受信した場合などの表示操作パネル４１の表示パネルを表示する条件が成立した場合であり、換言すれば、ディープスリープモードから通常モードへ復帰する場合である。サブＣＰＵ５９は、パネル表示要求を検出しない場合（Ｓ１３９：ＮＯ）、Ｓ１３５からの処理を実行し、ディープスリープモードを維持する。
【０１００】
また、サブＣＰＵ５９は、パネル表示要求を検出した場合（Ｓ１３９：ＹＥＳ）、メインＣＰＵ５８を起動する（Ｓ１４１）。例えば、サブＣＰＵ５９は、インターフェース部４９を介して印刷ジョブを受信することで、パネル表示要求を検知することとなる。また、例えば、サブＣＰＵ５９は、表示操作パネル４１から入力信号ＳＩ２を受信することで、パネル表示要求を検知することとなる。また、例えば、サブＣＰＵ５９は、ＮＦＣ基板３０から割込要求信号ＳＩ１を受信することで、パネル表示要求を検知することとなる。
【０１０１】
起動されたメインＣＰＵ５８は、図３に示すＳ１１からの処理を開始する。この場合、メインＣＰＵ５８は、Ｓ１１〜Ｓ１７、Ｓ２７を実行し、パネル表示要求を検出するため（Ｓ２７：ＹＥＳ）、Ｓ２９以降の処理を開始する。即ち、この場合、ディープスリープモードから通常モードへ復帰することとなる。そして、本実施形態の複合機１０では、複合機１０をディープスリープモードから通常モードへと復帰させるのに合わせて、図３に示すＳ３１，Ｓ３２又はＳ４７，Ｓ４９を実行してＮＦＣ基板３０をスヌーズモードから通常モードへ復帰させる。
【０１０２】
次に、ＮＦＣ基板３０のＣＰＵ３５による処理について、図８及び図９を参照して説明する。まず、ＮＦＣ基板３０のＣＰＵ３５は、複合機１０の電源スイッチがＯＮされるのにともなって起動し（Ｓ１５１）、図８及び図９に示す処理を開始する。図３に示すように、メインＣＰＵ５８は、電源スイッチのＯＮにより処理が開始されると、ＮＦＣ基板３０のスヌーズモードを解除し（Ｓ１５３）、通常モードにした状態でＮＦＣ基板３０のＣＰＵ３５等の初期化を実行する。このため、ＣＰＵ３５は、メインＣＰＵ５８から制御コマンドＣＤ２の受信等があるとスヌーズモードを解除し（Ｓ１５３）、通常モードにおいて初期化を実行する（Ｓ１５５）。ＮＦＣ基板３０は、ＣＰＵ３５が起動された通常通信モードとなる（Ｓ１５７）。
【０１０３】
次に、ＮＦＣ基板３０は、通常通信モードにおいて、ポーリング用の電波に応答した受信があるか否かを判定する（Ｓ１５９）。即ち、ＮＦＣ基板３０は、当該ＮＦＣ基板３０の近傍にＮＦＣ通信を希望する携帯端末Ｕ等の外部機器が存在するか否かを判定する。ＮＦＣ基板３０は、ポーリング用の電波に応答した受信があった場合（Ｓ１５９：ＹＥＳ）、割込要求信号ＳＩ１をパネルＡＳＩＣ６１へ送信する（Ｓ１６１）。図４のＳ６１以降に示すように、メインＣＰＵ５８は、通常通信モードにおいて、パネルＡＳＩＣ６１から割込要求信号ＳＩ１を受信すると、携帯端末ＵとのＮＦＣ通信の処理を実行し（図４のＳ６５参照）、携帯端末Ｕから印刷ジョブを受信する処理等を実行する。このため、ＣＰＵ３５は、携帯端末Ｕとの通信を確立した後、ＮＦＣ通信により受信した印刷ジョブ等、ＮＦＣ通信に係わるデータをメインＣＰＵ５８と送受信する（Ｓ１６３）。ＣＰＵ３５は、ポーリング用の電波に応答する携帯端末Ｕからの電波を受信しなくなるまで（Ｓ１６５：ＮＯ）、Ｓ１６１，Ｓ１６３の処理を繰り返し実行する。
【０１０４】
ＣＰＵ３５は、電波を受信しない場合（Ｓ１５９：ＮＯ、又はＳ１６５：ＹＥＳ）、パネルＡＳＩＣ６１と接続されたＩ／Ｏ端子から入力される信号レベルがローレベルからハイレベルに変更されたか否かを判定する（Ｓ１６７）。ＣＰＵ３５は、信号レベルの変化を検出できずローレベルが維持されている場合（Ｓ１６７：ＮＯ）、Ｓ１５９からの処理を実行し、通常モードを維持する。
【０１０５】
ＣＰＵ３５は、信号レベルがハイレベルに変更されたことを検出すると（Ｓ１６７：ＹＥＳ）、メインＣＰＵ５８からシリアルバスＢ３を介した制御コマンドＣＤ２を受信しているか否かを判定する（Ｓ１６９）。上記したように、本実施形態のＮＦＣ基板３０は、Ｉ／Ｏ端子の信号レベルに加えて、メインＣＰＵ５８からシリアルバスＢ３を通じた制御コマンドＣＤ２を受信するまで、スヌーズモードへ移行しない設定となっている。このため、ＣＰＵ３５は、図５のＳ９５において、メインＣＰＵ５８が送信した制御コマンドＣＤ２を受信するまで（Ｓ１６９：ＮＯ）、スヌーズモードへ移行しない。
【０１０６】
一方、ＣＰＵ３５は、メインＣＰＵ５８から制御コマンドＣＤ２を受信すると（Ｓ１６９：ＹＥＳ）、通信回路３３等にスヌーズモード中に実行するポーリング用のパラメータを設定した後、自身を停止する処理を実行する（Ｓ１７１）。ＣＰＵ３５は、スヌーズモード中にループアンテナ３１から送信される電波強度を下げるパラメータを設定する。ＮＦＣ基板３０は、ＣＰＵ３５が停止されているものの、ループアンテナ３１からはポーリング用の電波を送信する状態となる。ＮＦＣ基板３０は、ＣＰＵ３５が停止され、電波強度を下げることで省電力化が図られたスヌーズモードとなる（Ｓ１７３）。
【０１０７】
ＮＦＣ基板３０は、スヌーズモードにおいて、電波強度を下げたポーリング用の電波に応答した受信があるか否かを判定する（Ｓ１７５）。ＮＦＣ基板３０は、ポーリング用の電波に応答した受信がある場合（Ｓ１７５：ＹＥＳ）、割込要求信号ＳＩ１をパネルＡＳＩＣ６１へ送信する（Ｓ１７７）。パネルＡＳＩＣ６１は、受信した割込要求信号ＳＩ１を、メインＡＳＩＣ５１へ転送する（第１伝達処理の一例）。ＮＦＣ基板３０は、電波を受信しない場合（Ｓ１７５：ＮＯ）、又は割込要求信号ＳＩ１を送信した場合（Ｓ１７７）、パネルＡＳＩＣ６１と接続されるＩ／Ｏ端子から入力される信号レベルがハイレベルからローレベルに変更されたか否かを判定する（Ｓ１７９）。ＮＦＣ基板３０は、信号レベルの変化を検出できずハイレベルが維持されている場合（Ｓ１７９：ＮＯ）、Ｓ１７５からの処理を実行し、スヌーズモードを維持する。
【０１０８】
また、ＮＦＣ基板３０は、信号レベルがローレベルに変更されたことを検出すると（Ｓ１７９：ＹＥＳ）、所定時間だけ待機する処理を実行する（Ｓ１８１）。本実施形態のＮＦＣ基板３０では、例えば、信号レベルがローレベルに変更された後、２０ｍｓの間はシリアルバスＢ３による制御コマンドＣＤ２を受け付けない設定となっている。このため、ＮＦＣ基板３０は、Ｓ１８１において２０ｍｓだけ待機する処理を実行した後、メインＣＰＵ５８から制御コマンドＣＤ２を受信したか判定する（Ｓ１８３）。ＮＦＣ基板３０は、メインＣＰＵ５８が送信した制御コマンドＣＤ２を受信するまで（Ｓ１８３：ＮＯ）、通常モードへ復帰しない。
【０１０９】
また、ＮＦＣ基板３０は、メインＣＰＵ５８から制御コマンドＣＤ２を受信すると（Ｓ１８３：ＹＥＳ）、ＣＰＵ３５を起動し（Ｓ１８５）、通常モードへ復帰して、Ｓ１５９からの処理を再度実行することとなる。
【０１１０】
因みに、複合機１０は、画像形成装置の一例である。ＮＦＣ基板３０は、通信装置の一例である。表示操作パネル４１は、表示装置、入力装置の一例である。制御装置４５は、制御装置、第１制御装置の一例である。パネル基板４６は、制御装置、第２制御装置の一例である。インターフェース部４９は、通信インターフェースの一例である。メインＣＰＵ５８は、第１処理回路の一例である。サブＣＰＵ５９は、第２処理回路の一例である。携帯端末Ｕは、携帯機器の一例である。割込要求信号ＳＩ１は、接近検出信号の一例である。制御信号ＣＤ１及び制御コマンドＣＤ２は、スリープモード解除信号の一例である。Ｓ２３，Ｓ３７及びＳ４３は、表示処理の一例である。Ｓ７９の処理は、非表示処理の一例である。Ｓ９３，Ｓ９５の処理は、通信装置側スリープモード移行処理の一例である。Ｓ３１，Ｓ３２の処理及びＳ４７，Ｓ４９の処理は、通信装置側通常モード復帰処理の一例である。Ｓ９８，Ｓ９９の処理は、制御装置側第２スリープモード移行処理の一例である。Ｓ７５の処理は、制御装置側第１スリープモード移行処理の一例である。Ｓ１３５，Ｓ１３７の処理は、制御装置側第１スリープモード復帰処理の一例である。Ｓ２７，Ｓ２９，Ｓ３９，Ｓ４５の処理は、制御装置側通常モード復帰処理の一例である。Ｓ３１は、解除信号送信処理の一例である。Ｓ１７５の処理は、接近検出処理の一例である。Ｓ１７７の処理は、接近検出信号送信処理の一例である。
【０１１１】
以上、上記した実施形態によれば、以下の効果を奏する。
＜効果１＞まず、図１０に示す第１比較例の複合機１０Ａの構成について説明する。なお、以下の説明において上記実施形態と同様の構成については同一符号を付し、その説明を適宜省略する。図１０に示す第１比較例の複合機１０Ａは、上記実施形態の複合機１０とは異なり、パネル基板４６Ａにメモリ８１を備える。パネル基板４６ＡのパネルＡＳＩＣ６１は、メモリ８１（ＲＡＭ，ＲＯＭなど）を使用して、表示画像データＧＤの生成や制御コマンドＣＤ２の生成を行う。また、パネル基板４６Ａは、上記実施形態のパネル基板４６と同様に、ＮＦＣ基板３０と接続されるＩ／Ｏ端子に送出する信号レベルを変更する。従って、このパネル基板４６Ａは、上記実施形態におけるメインＡＳＩＣ５１によって実行されたＮＦＣ基板３０や表示操作パネル４１に係わる処理を全て実行する。このため、メインＡＳＩＣ５１は、パネル基板４６Ａから受信する完了通知によって、各処理の完了の確認処理のみを行う。
【０１１２】
このような構成の複合機１０Ａでは、パネル基板４６Ａが主体となってＮＦＣ基板３０及び表示操作パネル４１に対する制御を実行するため、上記実施形態の複合機１０に比べて制御装置４５とパネル基板４６とを接続するシリアルバスＢ１で伝送される制御情報のデータ量を低減することが可能である。また、上記実施形態のように、メインＡＳＩＣ５１が、パネル基板４６を介してＮＦＣ基板３０と割込要求信号ＳＩ１等を送受する場合に比べて、ＮＦＣ基板３０のＣＰＵ３５からの問い合わせに対する応答を早くして制御に必要な処理時間の短縮を図ることが可能となる。しかしながら、パネル基板４６Ａを高機能化すると製造コストの増加に繋がる一方で、ある程度の処理能力を確保しなければ表示画像データＧＤの生成に時間が掛かる。即ち、表示操作パネル４１への表示画像データＧＤの表示が遅延することとなる。
【０１１３】
次に、図１１に示す第２比較例の複合機１０Ｂの構成について説明する。図１１に示す第２比較例の複合機１０Ｂは、上記実施形態のパネル基板４６に替えてパラレルバスＢ２を延長する中継基板８３を備えている。メインＡＳＩＣ５１は、パラレルバスＢ５を介して中継基板８３と接続されている。メインＡＳＩＣ５１は、パラレルバスＢ２，Ｂ５及び中継基板８３を介して表示画像データＧＤや制御信号ＣＤ１を表示操作パネル４１に向けて送信する。また、制御装置４５は、ＮＦＣ基板３０とハーネス８５を介して接続されている。このハーネス８５には、上記実施形態における制御コマンドＣＤ２及び割込要求信号ＳＩ１を送受信する信号線やＮＦＣ基板３０のＩ／Ｏ端子に接続される信号線が含まれる。従って、複合機１０Ｂの制御装置４５は、ＮＦＣ基板３０と表示操作パネル４１（中継基板８３）とに別々の通信経路によって接続されている。
【０１１４】
このような構成の複合機１０Ｂでは、高機能なメインＡＳＩＣ５１によって表示画像データＧＤの画像処理を行うため、画像処理に掛かる時間を短縮できる。また、パネル基板４６が不要となるため、製造コストの削減を図ることが可能となる。一方で、制御装置４５は、ＮＦＣ基板３０と中継基板８３とに接続されるため、インターフェースが大型化する虞がある。また、上記実施形態におけるシリアルバスＢ１に替えてパラレルバスＢ５を用いており、パラレル転送がシリアル転送に比べてクロックのずれ等が生じ易いため伝送距離が長くなると、表示画像データＧＤの伝送速度の高速化が図りにくく、外部からのノイズの影響を受け易くなる。
【０１１５】
これに対し、上記実施形態における複合機１０では、パネル基板４６のパネルＡＳＩＣ６１は、表示画像データＧＤの画像処理が不要となるため、第１比較例のパネル基板４６Ａのようにメモリ８１を備える必要がなく、製造コストの削減を図ることが可能となる。さらに、パネル基板４６にパネルＡＳＩＣ６１を備えることで、制御装置４５とパネル基板４６とをシリアルバスＢ１で接続し、ＬＶＤＳの規格に準拠した通信で表示画像データＧＤを高速且つ低ノイズで伝送することが可能となる。一方で、パネル基板４６に接続されたＮＦＣ基板３０及び表示操作パネル４１を、制御装置４５によって制御するため、制御装置４５とパネル基板４６との間で送受信されるデータ量が増加する虞がある。その結果、ＮＦＣ基板３０のモードを変更する制御や表示操作パネル４１の表示・非表示を変更する制御に遅延が生じることが懸念される。
【０１１６】
そこで、上記実施形態の複合機１０では、ディープスリープモード（制御装置側第２スリープモードの一例）からスリープモード（制御装置側第１スリープモードの一例）へ復帰する条件が成立した場合に（図３のＳ２７でＮＯ判定）、ＮＦＣ基板３０のスヌーズモード（通信装置側スリープモードの一例）を維持する構成となっている。複合機１０は、ディープスリープモード及びスリープモードでは、通常モードに比べてユーザから利用される可能性が低く、ＮＦＣ通信を利用される可能性も低い。このため、ディープスリープモード及びスリープモード間でモードが切り替わる間は、ＮＦＣ基板３０のスリープモードを維持する。そして、メインＣＰＵ５８は、複合機１０が通常モードへ復帰するのに応じて、ＮＦＣ基板３０も通常モードへ復帰させる（図３のＳ３１等）。このように、複合機１０は、上記した表示画像データＧＤの伝送の高速化やノイズ低減等の利点を活かしつつ、ＮＦＣ基板３０を通常モードへ復帰させる条件を最適化することで、ＮＦＣ基板３０のモードを変更する制御等にともなう遅延を抑制している。また、ユーザの利用の実態に即して省電力化のモードへ移行、モードの維持等を実行しているため、省電力化とユーザビリティとの間の優先度を好適に切り替えることが可能となっている。
【０１１７】
＜効果２＞複合機１０は、スリープモードからディープスリープモードへ移行するのに合わせて、ＮＦＣ基板３０をスヌーズモードへ移行させることで（図５のＳ９３，Ｓ９５）、ユーザビリティに対する影響を抑えつつ、省電力化を図っている。
【０１１８】
＜効果３＞メインＣＰＵ５８は、インターフェース部４９の通信量が第１通信量Ｄ以下の場合（図５のＳ９９：ＹＥＳ）、Ｓ８９以降のディープスリープモードへ移行する処理を開始する。インターフェース部４９による通信量が少ない場合には、印刷ジョブの受信等がなく、ユーザに利用されている可能性が低いと考えられるため、メインＣＰＵ５８は、通信量に応じてモードを変更することで、ユーザビリティに対する影響を抑えつつ、省電力化を図っている。
【０１１９】
＜効果４＞メインＣＰＵ５８は、処理負荷を示す値が第１閾値Ｌ以下の場合（図５のＳ９８：ＹＥＳ）、Ｓ８９以降のディープスリープモードへ移行する処理を開始する。これにより、メインＣＰＵ５８の処理負荷が減少する場合には、ユーザに利用されている可能性が低いと考えられるため、メインＣＰＵ５８は、処理負荷に応じてモードを変更することで、ユーザビリティに対する影響を抑えつつ、省電力化を図っている。
【０１２０】
＜効果５＞メインＡＳＩＣ５１は、消費電力の異なるメインＣＰＵ５８とサブＣＰＵ５９を備えている。メインＣＰＵ５８は、複合機１０をディープスリープモードへ移行させる前に、サブＣＰＵ５９を起動する（図５のＳ９７）。起動されたサブＣＰＵ５９は、メインＣＰＵ５８を停止し（図７のＳ１３３）、複合機１０をディープスリープモードへ移行させる。これにより、処理負荷の少ないディープスリープモードにおいては、消費電力の少ないサブＣＰＵ５９によって処理を実行し、省電力化を図っている。
【０１２１】
＜効果６＞メインＣＰＵ５８は、通常モードからスリープモードへ移行する際に表示操作パネル４１を非表示とする（図４のＳ７９）。一方で、メインＣＰＵ５８は、ＮＦＣ基板３０に対するモード変更を実行しない。これにより、表示操作パネル４１の非表示処理と、ＮＦＣ基板３０のモード変更処理とが競合するのを抑制している。
【０１２２】
＜効果７＞メインＡＳＩＣ５１（メインＣＰＵ５８及びサブＣＰＵ５９）は、表示操作パネル４１から入力信号ＳＩ２が入力されたことでパネル表示要求を検出すると（図３のＳ２７：ＹＥＳ、図７のＳ１３９：ＹＥＳ）、通常モードへ移行する（図３のＳ４５）。これにともない、メインＣＰＵ５８は、Ｓ４７，Ｓ４９（通信装置側通常モード復帰処理）を実行し、ＮＦＣ基板３０を通常モードへ復帰させる。これにより、例えば、ユーザが表示操作パネル４１を操作してから携帯端末Ｕを使用してＮＦＣ通信による認証を行う前に、ＮＦＣ基板３０を通常モードで起動しおくことで、認証に必要な時間を短縮してユーザビリティを向上できる。
【０１２３】
＜効果８＞メインＣＰＵ５８は、印刷ジョブを受信又なパネル操作を検知した場合には、表示操作パネル４１を表示させる表示処理（図３のＳ４１，Ｓ４３）を実行した後に、ＮＦＣ基板３０のスヌーズモードを解除する処理（Ｓ４７，Ｓ４９）を実行している。つまり、メインＣＰＵ５８は、スヌーズモードの解除処理に比べて表示処理を優先して実行している。これにより、例えば、ディープスリープモードにおいて表示操作パネル４１に対してユーザから操作が行われた場合に、ＮＦＣ基板３０を通常モードに復帰させる処理を行うことで遅延が発生するのを抑制して、表示操作パネル４１の表示が有効になったことをユーザに迅速に知らせることが可能となる。
【０１２４】
＜効果９＞メインＡＳＩＣ５１は、ＮＦＣ基板３０から割込要求信号ＳＩ１が入力されたことでパネル表示要求を検出すると（図３のＳ２７：ＹＥＳ、図７のＳ１３９：ＹＥＳ）、通常モードへ移行する（図３のＳ４５）。これにともない、メインＣＰＵ５８は、Ｓ４７，Ｓ４９（通信装置側通常モード復帰処理）を実行し、ＮＦＣ基板３０を通常モードへ復帰させる。これにより、例えば、携帯端末ＵがＮＦＣ基板３０へ接近するのに応じて、ＮＦＣ基板３０を通常モードへ復帰させることで、ＮＦＣ通信による認証に必要な時間を短縮してユーザビリティを向上できる。
【０１２５】
＜効果１０＞メインＣＰＵ５８は、割込要求信号ＳＩ１を受信した場合（図３のＳ２９：ＹＥＳ）、ＮＦＣ基板３０によるＮＦＣ通信を実行させるための処理（Ｓ３１，Ｓ３２，Ｓ３３）を実行した後に、表示操作パネル４１を表示させる表示処理（Ｓ３５，Ｓ３７）を実行している。つまり、メインＣＰＵ５８は、表示処理に比べて通信処理を優先して実行している。これは、通信処理は、ＮＦＣ通信やユーザの認証処理等を実行することから、表示処理に比べて処理負荷が大きく、処理時間が長くなる虞があるからである。このため、メインＣＰＵ５８は、通信処理を優先して実行することで、ユーザ認証等の処理に遅延が発生するのを抑制して、ユーザビリティの向上を図っている。
【０１２６】
なお、本発明は、上記実施形態に限定されるものではなく、当業者の知識に基づいて種々の変更、改良を施した種々の態様で実施することが可能である。
例えば、上記実施形態における複合機１０及びＮＦＣ基板３０が有するモードの設定内容、モード数等は、一例であり、例えば、複合機１０は、上記した３つのモードに加えて、電源部４３の一部の機能を停止するオフモードなどを備えてもよい。
また、上記実施形態では、複合機１０がスリープモードからディープスリープモードへ移行する際に、ＮＦＣ基板３０をスヌーズモードへ移行させたが、これに限らず、例えば、複合機１０が通常モードからディープスリープモードへ移行する際に、ＮＦＣ基板３０をスヌーズモードへ移行させてもよい。
【０１２７】
また、上記実施形態において、メインＣＰＵ５８及びＣＰＵ３５は、インターフェース部４９の通信量や処理負荷による判定を実施しなくともよい。
また、上記実施形態では、ディープスリープモード及びスリープモードにおいて表示操作パネル４１を非表示としたが、２つのスリープモードのうち、少なくとも一方のスリープモードにおいて表示操作パネル４１を表示状態としてもよい。
また、上記実施形態では、図４のＳ７５において、通常モードからスリープモードへ移行する条件の時間（第１時間、第２時間の一例）を一律に５分としたが、これに限らず、例えば、入力信号ＳＩ２を受信しない時間を判定する第１時間を５分、割込要求信号ＳＩ１を受信しない時間を判定する第２時間を７分等の異なる時間に設定してもよい。
また、上記実施形態において、制御コマンドＣＤ２による制御を実施しなくともよい。即ち、制御信号ＣＤ１による制御のみでＮＦＣ基板３０のモードを変更してもよい。
また、上記実施形態において、パネルＡＳＩＣ６１は、第２伝達処理として、スヌーズモードを解除する制御信号ＣＤ１を受信すると、ＮＦＣ基板３０に接続されたＩ／Ｏ端子に送出する信号レベルを変更したが、これに限らず、制御信号ＣＤ１を単純にＮＦＣ基板３０へ転送してもよい。
【０１２８】
また、上記実施形態において、ＮＦＣ基板３０は、スヌーズモードにおいて、ポーリングに使用する電波強度を下げなくともよい。さらに、上記実施形態において、ＮＦＣ基板３０は、スヌーズモードにおいて、ポーリング周期を長くしてもよい。
また、メインＡＳＩＣ５１は、メインＣＰＵ５８のみを備える構成でもよい。この場合、ディープスリープモードにおける処理もメインＣＰＵ５８によって実行してもよい。
また、本願における通信装置が実施する無線通信は、ＮＦＣ通信に限らず、ブルートゥース（登録商標）やＷｉＦｉ（登録商標）などでもよく、近距離無線通信に限らず長距離の無線通信でもよい。
【符号の説明】
【０１２９】
１０  複合機（画像形成装置）、３０  ＮＦＣ基板（通信装置）、４１  表示操作パネル（表示装置）、４５  制御装置（第１制御装置）、４６  パネル基板（第２制御装置）、４９  インターフェース部（通信インターフェース）、５８  メインＣＰＵ（第１処理回路）、５９  サブＣＰＵ（第２処理回路）、Ｕ  携帯端末（携帯機器）。
【図１】
0006507750.tif 000002
【図２】
0006507750.tif 000003
【図３】
0006507750.tif 000004
【図４】
0006507750.tif 000005
【図５】
0006507750.tif 000006
【図６】
0006507750.tif 000007
【図７】
0006507750.tif 000008
【図８】
0006507750.tif 000009
【図９】
0006507750.tif 000010
【図１０】
0006507750.tif 000011
【図１１】
0006507750.tif 000012